(57)【要約】【課題】ロケータ機能を有するリモコン装置を備えた電子機器において、簡単な構成で、リモコン装置の位置を報知する報知部から発生する音声等を停止させることができるとともに、コストを低減させることができる電子機器を提供することを目的とする。【解決手段】電子機器１は、電子機器本体２とリモコン装置３とを備えている。電子機器本体２は、リモコン装置３の位置を検出するための位置検出信号を生成するＣＰＵ１０と、位置検出信号を送信する位置検出信号送信部９とを備えている。リモコン装置３は、電子機器本体２の操作を行うための操作部１１と、位置検出信号を受信する位置検出信号受信部１５と、リモコン装置３の位置を報知する報知部１６と、報知部１６にリモコン装置３の位置を報知させるＣＰＵ１７とを備えている。そして、ＣＰＵ１７は、リモコン装置３の位置の報知中に、操作部１１が操作された場合は、報知部１６による報知を停止させる。【選択図】図１
2008306353.tif 000002
【特許請求の範囲】
【請求項１】
電子機器本体と、前記電子機器本体を遠隔操作するためのリモコン信号を送信するリモコン装置とを備えた電子機器において、
前記電子機器本体は、前記リモコン信号を受信するリモコン信号受信部と、前記リモコン装置の位置を検出するための位置検出信号を生成する第１の制御部と、前記位置検出信号を送信する位置検出信号送信部とを備え、
前記リモコン装置は、前記電子機器本体の操作を行うための操作部と、前記操作部の操作内容に対応した前記リモコン信号を送信するリモコン信号送信部と、前記位置検出信号を受信する位置検出信号受信部と、前記リモコン装置の位置を報知する報知部と、前記位置検出信号受信部が前記位置検出信号を受信した場合に、前記報知部に前記リモコン装置の位置を報知させる第２の制御部とを備え、
前記第２の制御部は、前記リモコン装置の位置の報知中に、前記操作部が操作された場合は、前記報知部による報知を停止させることを特徴とする電子機器。
【請求項２】
前記第２の制御部は、前記リモコン信号送信部による前記リモコン信号の送信を制御するとともに、前記リモコン装置の位置の報知中に、前記操作部が操作された場合は、前記リモコン信号送信部が前記リモコン信号を送信しないように制御することを特徴とする請求項１に記載の電子機器。
【請求項３】
前記報知部による報知が停止した後、前記操作部が操作された場合は、前記第２の制御部は、前記リモコン信号送信部が前記リモコン信号を送信するように制御することを特徴とする請求項２に記載の電子機器。
【請求項４】
前記第１の制御部は、前記リモコン信号受信部による前記リモコン信号の受信を制御するとともに、前記位置検出信号送信部が前記位置検出信号を送信中は、前記操作部の操作により前記リモコン信号送信部から送信された前記リモコン信号を前記リモコン信号受信部が受信しないように制御することを特徴とする請求項１に記載の電子機器。
【請求項５】
前記位置検出信号送信部による前記位置検出信号の送信が終了後、前記操作部が操作された場合は、前記第１の制御部は、前記操作部の操作により前記リモコン信号送信部から送信された前記リモコン信号を前記リモコン信号受信部が受信するように制御することを特徴とする請求項４に記載の電子機器。
【請求項６】
前記報知部は、音声、振動、および光のうちの少なくとも１つを発生することにより、前記リモコン装置の位置を報知することを特徴とする請求項１乃至請求項５のいずれかに記載の電子機器。
【請求項７】
前記電子機器本体は、テレビ受信装置本体であることを特徴とする請求項１乃至請求項６のいずれかに記載の電子機器。
【発明の詳細な説明】
【技術分野】
【０００１】
本発明は、リモコン装置を備えたテレビ受信装置等の電子機器に関する。
【背景技術】
【０００２】
一般に、テレビ受信装置等の電子機器は、電子機器本体を遠隔操作するためのリモコン装置を備えている。例えば、テレビ受信装置においては、リモコン装置に設けられた操作部の操作内容に対応して、電子機器本体を遠隔操作するための制御信号（以下、「リモコン信号」という。）をリモコン装置からテレビ受信装置本体に送信することにより、テレビ本体のチャンネルや音量等を操作するように構成されている。
【０００３】
また、一般に、リモコン装置を備えた電子機器においては、リモコン装置の置き忘れや紛失により、リモコン装置の所在が判らなくなった場合に、当該リモコン装置を探索するためのロケータ機能（位置検出機能）が採用されている。より具体的には、例えば、リモコン装置探索用の操作ボタンと、リモコン装置の位置を検出するための信号（以下、「位置検出信号」という。）を送信するための位置検出信号送信部を備えた電子機器本体と、電子機器本体から送信された位置検出信号を受信する位置検出信号受信部と、リモコン装置の位置を報知するための報知部を備えたリモコン装置からなる電子機器が開示されている。そして、リモコン装置の所在が判らなくなった場合は、電子機器本体の操作スイッチにて所定の操作を実行すると、位置検出信号送信部から所定の位置検出信号が送信され、リモコン装置において、位置検出信号を受信すると、報知部において、所定期間、音声が発生して、リモコン装置の位置を利用者に報知する構成となっている（例えば、特許文献１参照）。
【特許文献１】特開２０００−９１９３０号公報
【発明の開示】
【発明が解決しようとする課題】
【０００４】
しかし、上記従来のリモコン装置を備えた電子機器においては、リモコン装置の所在が判明した場合に、報知部により発生している音声を停止させるための報知停止部（例えば、音声停止ボタン等）を、別途、設ける必要があるため、リモコン装置の構成が複雑化するとともに、コストが増大するという問題があった。
【０００５】
そこで、本発明は、上述の問題に鑑みてなされたものであり、ロケータ機能を有するリモコン装置を備えた電子機器において、簡単な構成で、リモコン装置の位置を報知する報知部から発生する音声等を停止させることができるとともに、コストを低減させることができる電子機器を提供することを目的とする。
【課題を解決するための手段】
【０００６】
上記目的を達成するために、請求項１に記載の発明は、電子機器本体と、電子機器本体を遠隔操作するためのリモコン信号を送信するリモコン装置とを備えた電子機器において、電子機器本体は、リモコン信号を受信するリモコン信号受信部と、リモコン装置の位置を検出するための位置検出信号を生成する第１の制御部と、位置検出信号を送信する位置検出信号送信部とを備え、リモコン装置は、電子機器本体の操作を行うための操作部と、操作部の操作内容に対応したリモコン信号を送信するリモコン信号送信部と、位置検出信号を受信する位置検出信号受信部と、リモコン装置の位置を報知する報知部と、位置検出信号受信部が位置検出信号を受信した場合に、報知部にリモコン装置の位置を報知させる第２の制御部とを備え、第２の制御部は、リモコン装置の位置の報知中に、操作部が操作された場合は、報知部による報知を停止させることを特徴とする。
【０００７】
同構成によれば、報知部によるリモコン装置の位置の報知中に、操作部が操作された場合に、第２の制御部が、報知部による報知を停止させる構成としている。従って、リモコン装置において、報知部による報知を停止させるための報知停止部（例えば、音声停止ボタン等）を、別途、設ける必要がなくなる。その結果、リモコン装置の構成が複雑化するのを防止することができるとともに、コストアップを抑制することが可能になる。
【０００８】
請求項２に記載の発明は、請求項１に記載の電子機器であって、制御部は、リモコン信号送信部によるリモコン信号の送信を制御するとともに、リモコン装置の位置の報知中に、操作部が操作された場合は、リモコン信号送信部がリモコン信号を送信しないように制御することを特徴とする。
【０００９】
同構成によれば、操作部を操作して、報知部による報知を停止させる際に、ユーザーが希望しない操作が、電子機器本体において発生するのを確実に防止することが可能になる。
【００１０】
請求項３に記載の発明は、請求項２に記載の電子機器であって、報知部による報知が停止した後、操作部が操作された場合は、第２の制御部は、リモコン信号送信部がリモコン信号を送信するように制御することを特徴とする。
【００１１】
同構成によれば、操作部の操作に基づく電子機器本体の誤操作を発生させることなく報知部による報知を停止させた後、リモコン装置による電子機器本体の操作を再開することが可能になる。
【００１２】
請求項４に記載の発明は、請求項１に記載の電子機器であって、第１の制御部は、リモコン信号受信部によるリモコン信号の受信を制御するとともに、位置検出信号送信部が位置検出信号を送信中は、操作部の操作によりリモコン信号送信部から送信されたリモコン信号をリモコン信号受信部が受信しないように制御することを特徴とする。
【００１３】
同構成によれば、操作部のいずれかを操作して、報知部による報知を停止させる際に、ユーザーが希望しない操作が、電子機器本体において発生するのを確実に防止することが可能になる。
【００１４】
請求項５に記載の発明は、請求項４に記載の電子機器であって、位置検出信号送信部による位置検出信号の送信が終了後、操作部が操作された場合は、第１の制御手段は、操作部の操作によりリモコン信号送信部から送信されたリモコン信号をリモコン信号受信部が受信するように制御することを特徴とする。
【００１５】
同構成によれば、操作部の操作に基づく電子機器本体の誤操作を発生させることなく報知部による報知を停止させた後、リモコン装置による電子機器本体の操作を再開することが可能になる。
【００１６】
請求項６に記載の発明は、請求項１乃至請求項５のいずれかに記載の電子機器であって、報知部は、音声、振動、および光のうちの少なくとも１つを発生することにより、リモコン装置の位置を報知することを特徴とする。同構成によれば、簡単な構成で、所在が判らなくなったリモコン装置の位置を報知することができる。
【００１７】
なお、請求項７に記載の発明のように、請求項１乃至請求項６のいずれかに記載の発明は、電子機器本体として、テレビ受信装置本体を使用する場合に、好適に使用できる。
【発明の効果】
【００１８】
本発明によれば、リモコン装置を探索するためのロケータ機能を有する電子機器において、簡単な構成で、リモコン装置の位置を報知する報知部から発生する音声等を停止させることができるとともに、コストを低減させることができる。
【発明を実施するための最良の形態】
【００１９】
（第１の実施形態）
以下に、本発明の好適な実施形態について説明する。図１は、本発明の第１の実施形態に係る電子機器の全体構成を示す概略図である。図１に示すように、この電子機器１は、電子機器本体２と、電子機器本体２の操作を行うためのリモコン装置３を備えている。
【００２０】
電子機器本体２は、リモコン装置３からの信号光を受光する受光素子４と、当該受光素子４を介して、リモコン信号を受信するリモコン信号受信部５を備えている。また、電子機器本体２は、所在の判らなくなったリモコン装置３を探索するための操作スイッチ６と、送信用のアンテナ８を介して、位置検出信号をリモコン装置３に向けて送信するための位置検出信号送信部９とを備えている。また、電子機器本体２は、操作スイッチ６、リモコン信号受信部５、および位置検出信号送信部９に接続され、リモコン信号受信部５、および位置検出信号送信部９の制御を行う第１の制御部であるＣＰＵ１０を備えている。
【００２１】
リモコン装置３は、ユーザーが電子機器本体２の操作を行うための操作部１１と、操作部１１の操作内容に対応したリモコン信号を送信するリモコン信号送信部１２と、リモコン信号に対応する赤外線等の信号光を発光する発光素子１３を備えている。また、リモコン装置３は、受信用のアンテナ１４を介して、電子機器本体２から送信された位置検出信号を受信する位置検出信号受信部１５と、リモコン装置３の所在を報知するための報知部１６を備えている。また、リモコン装置３は、操作部１１、リモコン信号送信部１２、位置検出信号受信部１５、および報知部１６に接続され、リモコン信号送信部１２、および報知部１６の制御を行う第２の制御部であるＣＰＵ１７と、当該ＣＰＵ１７に接続されたメモリであるＲＯＭ１８を備えている。なお、ＣＰＵ１７は、ＲＯＭ１８に記憶されているプログラムに従い、各部の制御を行う。
【００２２】
図２は、本発明の第１の実施形態に係るリモコン装置の外観を示す図である。なお、ここでは、テレビ受信装置に使用されるリモコン装置を例に挙げて説明する。図２に示すように、リモコン装置３の操作部１１は、複数の操作キー２０から構成されており、当該操作キー２０は、電源キー３０、チャンネルキー３１，３２、及び音量キー３３から構成されている。電源キー３０は、電子機器本体２であるテレビ受信装置本体のＯＮ／ＯＦＦ切換を行う際に操作するためのものであり、チャンネルキー３１，３２は、テレビ受信装置本体のチャンネルを切換える際に操作するためのものである。また、音量キー３３は、テレビ本体の音量調整を行う際に操作し、「＋」キーを操作すると、テレビ受信装置本体の音量が上がり、「−」キーを操作すると、テレビ受信装置本体の音量が下がるように構成されている。なお、図２に示すように、リモコン装置３には、当該リモコン装置３の電源としての電池３４が内蔵されている。
【００２３】
以上の構成の下、ユーザーにより、リモコン装置３の操作部１１の操作が行われると、ＣＰＵ１７は、操作部１１の操作内容に対応したリモコン信号を送信するように制御信号を発生し、リモコン信号送信部１２が、当該制御信号に基づいて、操作部１１の操作内容に対応したリモコン信号を電気信号として送信する。次いで、発光素子１３において、電気信号であるリモコン信号が赤外線等の光信号に変換されるとともに、当該光信号が電子機器本体２に向けて発光される。次いで、電子機器本体２の受光素子４が、光信号であるリモコン信号を受光するとともに、受光した光信号の光量に応じて、光信号であるリモコン信号を電気信号に変換する。次いで、電気信号に変換されたリモコン信号が、リモコン信号受信部５において受信されるとともに、リモコン信号受信部５を介して、ＣＰＵ１０に入力される。そして、当該ＣＰＵ１０により、リモコン信号に基づく電子機器本体２の制御（例えば、電子機器本体２がテレビ受信装置本体の場合は、チャンネルや音量等の制御）が行われる構成となっている。
【００２４】
次に、所在の判らなくなったリモコン装置３を探索する際の手順について説明する。図３は、本発明の第１の実施形態に係る電子機器におけて、リモコン装置を探索する際の手順を示すフローチャートである。
【００２５】
リモコン装置３の所在が判らなくなった場合は、まず、電子機器本体２に設けられたリモコン装置探索用の操作スイッチ６を操作する（ステップＳ１）。そうすると、ＣＰＵ１０は、操作スイッチ６の操作を検知して、リモコン装置３の位置を検出するための位置検出信号を生成するとともに、位置検出信号送信部９に対して、位置検出信号を送信するように制御信号を発生し、位置検出信号送信部９が、送信用のアンテナ８を介して、所定の電波に変調された位置検出信号を、所定期間（例えば、３０秒間）送信する（ステップＳ２）。
【００２６】
次いで、リモコン装置３の位置検出信号受信部１５が、受信用のアンテナ１４を介して、電子機器本体２から送信された位置検出信号を受信するとともに、当該位置検出信号がＣＰＵ１７に入力される（ステップＳ３）。なお、この際、ＣＰＵ１７は、入力された位置検出信号が、リモコン装置３に対応した電子機器本体２から送信された位置検出信号であるかを確認する。より具体的には、例えば、電子機器本体２及びリモコン装置３に、予め、同一であり固有の認識コードを記憶させておき、電子機器本体２から位置検出信号を送信する際に、この認識コードが設定された位置検出信号を送信する。そして、リモコン装置３側で位置検出信号を受信すると、受信した位置検出信号の認識コードが、リモコン装置３側で記憶している認識コードと一致しているか否かを解析する構成とすることができる。このような構成により、リモコン装置３において、電子機器１の周辺にある他の電子機器により送信された他の位置検出信号による誤作動を防止することができる。
【００２７】
次いで、ＣＰＵ１７は、入力された位置検出信号が、リモコン装置３に対応した電子機器本体２から送信された位置検出信号であると確認した後、報知部１６に対して、リモコン装置３の位置を報知するように制御信号を発生し、報知部１６が、所定期間（例えば、３０秒間）、例えば、音声を発生して、リモコン装置３の位置をユーザーに報知する（ステップＳ４）。
【００２８】
なお、本実施形態においては、リモコン装置３の電力消費量を小さくして、電源である電池３４の消耗を抑制すべく、受信用のアンテナ１４と位置検出信号受信部１５に対して、所定周期毎（例えば、１０秒毎）に、所定期間（例えば、５秒間）電力を供給する構成としている。
【００２９】
リモコン装置３の所在が判明した場合、報知部１６により発生している音声の報知を強制的に停止させ、報知部１６による報知を停止させる必要があるが、本実施形態においては、リモコン装置３の操作部１１に設けられた、上述の複数の操作キー２０のいずれか（例えば、電源キー３０）を操作することにより、報知部１６による報知を停止させることができる（ステップＳ５）。より具体的には、操作キー２０の操作が行われると、ＣＰＵ１７は、報知部１６に対して制御信号を発生し、報知部１６による音声の報知を停止させる。即ち、本実施形態においては、ユーザーが電子機器本体２を操作する入力操作を行うための操作キー２０を、報知部１６による報知を停止させるための報知停止部として兼用する構成としている。このような構成により、リモコン装置３において、報知部１６による報知を停止させるための報知停止部（例えば、音声停止ボタン等）を、別途、設ける必要がなくなる。
【００３０】
また、本実施形態においては、操作キー２０のいずれかを操作して、報知部１６による報知を停止させる際に、当該操作キー２０の操作に基づく誤操作の発生を防止する構成としている。より具体的には、報知部１６による報知を停止させるために、いずれかの操作キー２０の操作が行われると、ＣＰＵ１７は、上述した、報知部１６による報知の停止を行うとともに、操作キー２０の操作内容に対応したリモコン信号を送信しないように制御信号を発生する。従って、リモコン信号送信部１２は、操作キー２０の操作内容に対応したリモコン信号を電気信号として送信しない（即ち、リモコン信号を不送信とする）構成となっている（ステップＳ６）。
【００３１】
例えば、電源キー３０が操作された場合、通常の場合（即ち、報知部１６による報知が発生していない場合）は、リモコン信号送信部１２が、電源キー３０に対応したリモコン信号を電気信号として送信し、当該リモコン信号が、電子機器本体２のリモコン信号受信部５において受信されて、リモコン信号に基づく電子機器本体２の制御（即ち、電源のＯＮ／ＯＦＦ切替制御）が行われるが、報知部１６による報知を停止させるために、電源キー３０が操作された場合は、上述のごとく、リモコン信号送信部１２が、電源キー３０に対応したリモコン信号を電気信号として送信しないため、リモコン信号が、電子機器本体２のリモコン信号受信部５において受信されず、その結果、リモコン信号に基づく電子機器本体２の制御（即ち、電源のＯＮ／ＯＦＦ切替制御）が行われない構成となっている。
【００３２】
そして、報知部１６による報知が停止した後に、再度の操作キー２０の操作が行われた場合は、通常通り、ＣＰＵ１７は、操作キー２０の操作内容に対応したリモコン信号を送信するように制御信号を発生し、リモコン信号送信部１２が、当該制御信号に基づいて、操作キー２０の操作内容に対応したリモコン信号を送信する（ステップＳ７）。次いで、リモコン信号がリモコン信号受信部５において受信されるとともに、リモコン信号受信部５を介して、ＣＰＵ１０に入力される。そして、当該ＣＰＵ１０により、リモコン信号に基づく電子機器本体２の制御（例えば、電子機器本体２がテレビ受信装置本体の場合は、チャンネルや音量等の制御）が行われる構成となっている。
【００３３】
以上に説明した本実施形態によれば、以下の効果を得ることができる。
（１）本実施形態の電子機器１においては、報知部１６によるリモコン装置３の位置の報知中に、操作部１１が操作された場合に、ＣＰＵ１７が、報知部１６による報知を停止させる構成としている。従って、リモコン装置３において、報知部１６による報知を停止させるための報知停止部を、別途、設ける必要がなくなる。その結果、リモコン装置３の構成が複雑化するのを防止することができるとともに、コストアップを抑制することが可能になる。
【００３４】
（２）また、リモコン装置３の位置の報知中に、操作部１１が操作された場合に、ＣＰＵ１７は、リモコン信号を送信しないようにリモコン信号送信部１２を制御する構成としている。従って、操作部１１を操作して、報知部１６による報知を停止させる際に、ユーザーが希望しない操作が、電子機器本体２において発生するのを確実に防止することが可能になる。
【００３５】
（３）また、報知部１６による報知を停止させた後、操作部１１が操作された場合は、ＣＰＵ１７は、リモコン信号送信部１２がリモコン信号を送信するように制御する構成としている。従って、操作部１１の操作に基づく誤操作を発生させることなく報知部１６による報知を停止させた後、リモコン装置３による電子機器本体２の操作を再開することが可能になる。
【００３６】
（第２の実施形態）
次に、本発明の第２の実施形態について説明する。図４は、本発明の第２の実施形態に係る電子機器におけて、リモコン装置を探索する際の手順を示すフローチャートである。なお、電子機器の全体構成、およびリモコン装置の外観構成については、上述の第１の実施形態と同様であるため、ここでは詳しい説明を省略する。
【００３７】
本実施形態においては、操作部１１に設けられた操作キー２０のいずれかを操作して、報知部１６による報知を停止させる際に、電子機器本体２に設けられたＣＰＵ１０が、リモコン信号受信部５を制御することにより、操作キー２０の操作に基づく誤操作の発生を防止する構成としている。
【００３８】
リモコン装置３の所在が判らなくなった場合は、まず、電子機器本体２に設けられたリモコン装置探索用の操作スイッチ６を操作する（ステップＳ１１）。そうすると、ＣＰＵ１０は、操作スイッチ６の操作を検知して、リモコン装置３の位置を検出するための位置検出信号を生成するとともに、位置検出信号送信部９に対して、位置検出信号を送信するように制御信号を発生し、位置検出信号送信部９が、送信用のアンテナ８を介して、所定の電波に変調された位置検出信号を、所定期間（例えば、３０秒間）送信する（ステップＳ１２）。
【００３９】
そして、ＣＰＵ１０は、位置検出信号送信部９が位置検出信号を送信中（即ち、上述の位置検出信号が送信されている所定期間）は、操作部１１の操作によりリモコン信号送信部１２から送信されたリモコン信号をリモコン信号受信部５が受信しないように制御する（ステップＳ１３）。
【００４０】
次いで、リモコン装置３の位置検出信号受信部１５が、受信用のアンテナ１４を介して、電子機器本体２から送信された位置検出信号を受信するとともに、当該位置検出信号がＣＰＵ１７に入力される（ステップＳ１４）。なお、この際、上述の第１の実施形態の場合と同様に、ＣＰＵ１７は、入力された位置検出信号が、リモコン装置３に対応した電子機器本体２から送信された位置検出信号であるかを確認する。
【００４１】
次いで、ＣＰＵ１７は、入力された位置検出信号が、リモコン装置３に対応した電子機器本体２から送信された位置検出信号であると確認した後、報知部１６に対して、リモコン装置３の所在を報知するように制御信号を発生し、報知部１６が、所定期間（例えば、３０秒間）、音声を発生して、リモコン装置３の所在をユーザーに報知する（ステップＳ１５）。
【００４２】
リモコン装置３の所在が判明した場合、リモコン装置３に設けられた、上述の複数の操作キー２０のいずれか（例えば、電源キー３２）を操作することにより、報知部１６による報知が停止する（ステップＳ１６）。そして、報知部１６による報知を停止させるために、操作キー２０の操作が行われると、ＣＰＵ１７は、報知部１６による報知の停止を行うとともに、操作キー２０の操作内容に対応したリモコン信号を送信するように制御信号を発生する。次いで、リモコン信号送信部１２は、操作キー２０の操作内容に対応したリモコン信号を電気信号として送信する（ステップＳ１７）。
【００４３】
そして、発光素子１３において変換された光信号がリモコン信号として電子機器本体２に向けて発光されるが、本実施形態においては、上述のステップ１３において説明したように、位置検出信号送信部９が位置検出信号を送信中は、操作部１１の操作によりリモコン信号送信部１２から送信されたリモコン信号をリモコン信号受信部５が受信しない（即ち、リモコン信号を不受信とする）ため、リモコン信号に基づく電子機器本体２の制御が行われない構成となっている（ステップＳ１８）。従って、操作キー２０のいずれかを操作して、報知部１６による報知を停止させる際に、当該操作キー２０の操作に基づく誤操作の発生を防止することができる。
【００４４】
そして、位置検出信号送信部９による位置検出信号の送信が終了後（即ち、上述の位置検出信号を送信する所定期間の経過後）、再度の操作キー２０の操作が行われると、操作キー２０の操作内容に対応したリモコン信号が電気信号として送信される（ステップＳ１９）。そして、この場合は、通常通り、リモコン信号がリモコン信号受信部５において受信されるとともに、リモコン信号受信部５を介して、ＣＰＵ１０に入力される（ステップＳ２０）。そして、当該ＣＰＵ１０により、リモコン信号に基づく電子機器本体２の制御（例えば、電子機器本体２がテレビ受信装置本体の場合は、チャンネルや音量等の制御）が行われる構成となっている。
【００４５】
なお、リモコン装置３の所在が判明せず、リモコン装置３に設けられた、複数の操作キー２０の操作により、報知部１６による報知が停止されなかった場合においても、位置検出信号送信部９による位置検出信号の送信が終了した後は、上述のステップＳ１９〜ステップＳ２０と同様に、リモコン信号がリモコン信号受信部５において受信されるとともに、リモコン信号に基づく電子機器本体２の制御が行われる構成となっている。
【００４６】
以上に説明した本実施形態によれば、上述の第１の実施形態において説明した（１）の効果に加え、以下の効果を得ることができる。
（４）本実施形態においては、位置検出信号送信部９が位置検出信号を送信中に、操作部１１が操作された場合は、ＣＰＵ１０は、リモコン信号を受信しないようにリモコン信号受信部５を制御する構成としている。従って、操作部１１のいずれかを操作して、報知部１６による報知を停止させる際に、ユーザーが希望しない操作が、電子機器本体２において発生するのを確実に防止することが可能になる。
【００４７】
（５）また、位置検出信号送信部９による位置検出信号の送信が終了後、操作部１１が操作された場合は、ＣＰＵ１０は、リモコン信号を受信するようにリモコン信号受信部５を制御する構成としている。従って、操作部１１の操作に基づく誤操作を発生させることなく報知部１６による報知を停止させた後、リモコン装置３による電子機器本体２の操作を再開することが可能になる。
【００４８】
なお、上記実施形態は以下のように変更しても良い。
上記実施形態においては、報知部１６は、音声を発生することにより、リモコン装置３の位置を報知する構成としたが、例えば、振動や光を発生することによりリモコン装置３の位置を報知する構成としても良い。この場合、これらの音声、振動、および光のうちの少なくとも１つを発生することにより、リモコン装置３の位置を報知する構成とすれば良く、また、音声、振動、および光の発生を、適宜、組み合わせて報知することもできる。
【００４９】
また、上記実施形態においては、電子機器１としてテレビ受信装置を例に挙げて説明したが、本発明は、例えば、パーソナルコンピュータ、エアコン、カーナビゲーション装置等の電子機器においても適用できることは言うまでもない。
【産業上の利用可能性】
【００５０】
本発明の活用例としては、ロケータ機能を有する、リモコン装置を備えたテレビ受信装置等の電子機器が挙げられる。
【図面の簡単な説明】
【００５１】
【図１】本発明の第１の実施形態に係る電子機器の全体構成を示す概略図である。
【図２】本発明の第１の実施形態に係るリモコン装置の外観を示す図である。
【図３】本発明の第１の実施形態に係る電子機器におけて、リモコン装置を探索する際の手順を示すフローチャートである。
【図４】本発明の第２の実施形態に係る電子機器におけて、リモコン装置を探索する際の手順を示すフローチャートである。
【符号の説明】
【００５２】
１…電子機器、２…電子機器本体、３…リモコン装置、５…リモコン信号受信部、６…操作スイッチ、９…位置検出信号送信部、１０…ＣＰＵ（第１の制御部）、１１…操作部、１２…リモコン信号送信部、１５…位置検出信号受信部、１６…報知部、１７…ＣＰＵ（第２の制御手段）、２０…操作キー
【図１】
2008306353.tif 000003
【図２】
2008306353.tif 000004
【図３】
2008306353.tif 000005
【図４】
2008306353.tif 000006